【手続補正書】
【提出日】平成25年3月22日(2013.3.22)
【手続補正１】
【補正対象書類名】特許請求の範囲
【補正対象項目名】全文
【補正方法】変更
【補正の内容】
【特許請求の範囲】
【請求項１】
移動体デバイスの位置を検出するように構成されたネットワーク自律ワイヤレス位置検出システム（ＮＡＷＬＳ）であって、前記移動体デバイスが、ワイヤレス通信ネットワーク（ＷＣＮ）と通信するワイヤレス通信送受信機を有し、前記ＮＡＷＬＳが、
ａ）２つ以上の無線エア・インターフェースを受動的に監視するように構成された無線ネットワーク・モニタ（ＲＮＭ）と、
ｂ）1つ以上のＷＣＮをエミュレートするように構成されたネットワーク・エミュレータ（ＮＥ）であって、前記１つ以上のＷＣＮが１つ以上の無線エア・インターフェースを保有する、ネットワーク・エミュレータ（ＮＥ）と、
ｃ）無制限ワイヤレス位置検出システム（Ｕ−ＷＬＳ）であって、該Ｕ−ＷＬＳが複数の移動体受信機サイトを含み、前記移動体受信機サイトの各々が、前記移動体デバイスからのアップリンク無線信号を受信するように構成された受信機と、前記移動体受信機サイトについて正確な位置および速度を判定する手段とを含み、前記Ｕ−ＷＬＳが、前記複数の移動体受信機サイトによって受信された無線信号情報から、前記移動体デバイスの正確な位置および速度を判定するように構成された、無制限ワイヤレス位置検出システム（Ｕ−ＷＬＳ）と、
を含む、ネットワーク自律ワイヤレス位置検出システム。
【請求項２】
請求項１記載のシステムにおいて、前記無線エア・インターフェースが、第１および第２ダウンリンク・ビーコンを含み，前記第１および第２ダウンリンク・ビーコンが、ブロードキャスト制御チャネル（ＢＣＣＨ）ビーコンを含む、システム。
【請求項３】
請求項１記載のシステムにおいて、前記移動体受信機サイトが、更に、周波数同期の目的のためにＧＮＳＳ信号を受信するように構成されたアンテナと受信機とを含むか、または、
前記移動体受信機サイトが、更に、前記移動体受信機サイトの位置を判定する目的のためにＧＮＳＳ信号を受信するように構成されたアンテナと受信機とを含む、システム。
【請求項４】
請求項１記載のシステムにおいて、前記移動体受信機サイトの正確な位置および速度を判定する前記手段の各々が、地上無線ブロードキャスト・タイミング信号を受信するように構成された無線受信機を含むか、または、
前記移動体受信機サイトが、更に、時間同期の目的のために無線ブロードキャスト・タイミング信号を受信するように構成されたアンテナと受信機とを含むか、または、
前記移動体受信機サイトが、更に、周波数同期の目的のために無線ブロードキャスト・タイミング信号を受信するように構成されたアンテナと受信機とを含むか、または、
前記移動体受信機サイトが、更に、該移動体受信機サイトの位置を判定する目的のために無線ブロードキャスト・タイミング信号を受信するように構成されたアンテナと受信機とを含む、システム。
【請求項５】
請求項１記載のシステムにおいて、前記無線エア・インターフェースが、第１無線アクセス・ネットワーク（ＲＡＮ）技術と、第２ＲＡＮ技術とを含む、システム。
【請求項６】
請求項１記載のシステムにおいて、前記無線エア・インターフェースが、第１無線アクセス・ネットワーク（ＲＡＮ）技術と、第２ＲＡＮ技術と、エミュレート無線エア・インターフェースとを含み、およびオプションで、
前記エミュレート無線エア・インターフェースが、第１無線アクセス・ネットワーク（ＲＡＮ）技術と、第２ＲＡＮ技術とを含む、システム。
【請求項７】
請求項２記載のシステムにおいて、前記第１ダウンリンク・ビーコンが、第１無線アクセス・ネットワーク（ＲＡＮ）技術を含み、前記第２ダウンリンク・ビーコンが、第２ＲＡＮ技術を含む、システム。
【請求項８】
請求項７記載のシステムにおいて、前記第１ＲＡＮ技術が、ＧＳＭ（登録商標）を含み、前記第２ＲＡＮ技術が、ＵＭＴＳ、ＬＴＥ、ＷｉＭＡＸ、およびＣＤＭＡのうち少なくとも１つを含む、システム。
【請求項９】
請求項１記載のシステムにおいて、前記ＮＥが、独立したワイヤレス通信ネットワークを提供するように構成されており、前記ＲＡＮおよびＣＮネットワーク双方をエミュレートし、およびオプションで、
前記ＮＥが、更に、エミュレート・ダウンリンク・ビーコンを供給するように構成されており、さらにオプションで、
前記エミュレート・ダウンリンク・ビーコンが、前記移動体デバイスを能動的に取得するように構成された、システム。
【請求項１０】
請求項１記載のシステムにおいて、前記ＮＥが、個々の移動体デバイス毎に、該移動体デバイスを特定するため、位置を検出するため、または静穏にするためにトラフィック／データ・チャネルの割り当てが必要となる場合における使用のために、前記移動体デバイスへの第２移動体のアップリンクおよびダウンリンクのシグナリング経路を準備するように構成された、システム。
【請求項１１】
請求項１記載のシステムにおいて、前記Ｕ−ＷＬＳが、ディジタル・データ・リンクを介して前記ＮＥに接続されており、前記Ｕ−ＷＬＳが、前記データ・リンクを用いて、位置検出が完了したこと、前記移動体デバイスの位置を検出するために追加の電力が必要となること、ＲＡＴ（無線アクセス技術）間ハンドオフが必要となること、および／またはトラフィック・チャネルへの割り当てが必要となること、を前記ＮＥに通知するように構成された、システム。
【請求項１２】
請求項１記載のシステムにおいて、前記ネットワーク・エミュレータが、ディジタル・データ・リンクを介して前記Ｕ−ＷＬＳに接続されており、前記ＮＥが、前記データ・リンクを用いて、ネットワーク・トランザクション・トリガに基づいて位置検出を実行するように、前記Ｕ−ＷＬＳをトリガしタスクを課すように構成されており、およびオプションで、
前記ディジタル・データ・リンクが、更に、前記移動体デバイスに存在する内蔵位置検出技術を用いるために、Ｕ−ＷＬＳおよびＮＥによって設定される、システム。
【請求項１３】
請求項１記載のシステムにおいて、前記ＲＮＭが、前記移動体デバイス、前記ＲＡＮ、および前記ＮＥからアップリンクおよびダウンリンクの送信を受信するように構成された、受動型ソフトウェア定義無線受信機を含むか、または、
前記ＲＮＭが、１組の受信機を含み、ディジタル・データ・リンクを介して前記Ｕ−ＷＬＳに接続されており、前記移動体デバイスが無線トランザクションに関与するとき、前記移動体デバイスの位置を検出するために前記ＲＮＭが前記Ｕ−ＷＬＳにタスクを課すことを可能にする、システム。
【請求項１４】
請求項１記載のシステムにおいて、前記ＮＥが、１組の送受信機とサーバとを含み、ディジタル・データ・リンクを介して前記Ｕ−ＷＬＳに接続されており、前記移動体デバイスがネットワーク・トランザクションに関与するとき、前記移動体デバイスの位置を検出するために前記ＮＥが前記Ｕ−ＷＬＳにタスクを課すことを可能にし、およびオプションで、
前記ディジタル・データ・リンクが、ワイヤレス接続を含み、前記ネットワーク・トランザクションが、移動体発信、移動体着信、位置更新、セル変更コマンド、常時質問、ＳＭＳ発信、ＳＭＳ着信、周期的登録、および識別要求、のグループのうち少なくとも１つに対するメッセージングを含む、システム。
【請求項１５】
請求項１記載のシステムにおいて、前記ＲＮＭがディジタル・データ・リンクを介して前記ＮＥに接続されており、ブロードキャスト制御チャネル（ＢＣＣＨ）周波数、電力レベル、および情報内容を前記ＲＮＭがＮＥに知らせることを可能にし、およびオプションで、
前記ＲＮＭが、更に、干渉を検出するため、および前記ＮＥにブロードキャスト無線電力レベルを低減させるため、更にエミュレート・アップリンクおよびダウンリンク信号の電力レベルを低減させるために、ＮＥ−エミュレート・ダウンリンク・ビーコン、ならびに第２移動体アップリンクおよびダウンリンク信号を監視するように構成された、システム。
【請求項１６】
請求項１記載のシステムであって、更に、ブロードキャスト・パワーを最適化しつつ、干渉を最小に抑えるために、前記ＮＥの送信電力を調節する手段を含み、およびオプションで、
更に、送信される情報を調節する手段を含み、さらにオプションで、
前記送信される情報を調節する前記手段が、通信ネットワークの衝撃を最小に抑えつつサンプリング・ネットワーク能力の均衡を取ることによって、移動体デバイスの信号サンプリングのレートの最適化を可能にする、システム。
【請求項１７】
ローカル・ワイヤレス通信ネットワークと通信するためのワイヤレス通信送受信機を有する移動体デバイスの位置を検出する方法であって、前記ローカル・ワイヤレス通信ネットワークが無線アクセス・ネットワーク（ＲＡＮ）とコア・ネットワーク（ＣＮ）とを含み、前記方法が、
ネットワーク自律ワイヤレス位置検出システム（ＮＡＷＬＳ）を用いて、前記ローカル・ワイヤレス通信ネットワークへの有線接続を用いずに、無線メッセージングによって、一時的識別子および永続的識別子を含む移動体特定情報を収集するステップと、
前記移動体デバイスによって送信されたアップリンク信号を用いて、前記移動体デバイスの位置を検出するステップと、
を含む、方法。